(57)【特許請求の範囲】
【請求項１】
基板、およびこの基板に実装された発光素子を有する発光モジュールと；
下面に前記発光モジュールを配設する放熱器、および前記放熱器を支持する本体シャーシを有し、平面視の形状が四角形状の器具本体と；
前記本体シャーシ上に配設される電源部と；
前記本体シャーシを支持するアームと；
前記発光モジュールに対向する円形の開口部が設けられた前面カバー部、および前記器具本体の周囲を覆う円筒状の周面カバー部を有するカバー体と；
を具備し、
前記発光モジュールは、前記基板に実装される前記発光素子以外の電気部品を有し、
前記基板は、前記前面カバー部の前記開口部に対向する中央領域、および前記前面カバー部で覆われる周辺領域を有し、
前記基板の前記中央領域に前記発光素子が実装され、前記基板の前記周辺領域に前記電気部品が実装されている
ことを特徴とする照明器具。
【請求項２】
前記器具本体と前記アームとは、前記周面カバー部の内側で連結されている
ことを特徴とする請求項１記載の照明器具。
【発明の詳細な説明】
【技術分野】
【０００１】
本発明の実施形態は、発光モジュールを用いた照明器具に関する。
【背景技術】
【０００２】
従来、例えば、施設などの天井が高い空間の照明に用いられる高天井用の照明器具がある。この高天井用の照明器具では、基板に発光素子を実装した発光モジュールが用いられ、この発光モジュールが器具本体の放熱器の下面に取り付けられている。器具本体は、放熱器、およびこの放熱器を支持する本体シャーシを備えている。また、器具本体の本体シャーシに電源部が配設され、さらに、本体シャーシに天井などに設置するためのアームが連結されている。
【０００３】
そして、高天井用の照明器具において、器具本体は、平面視の形状が四角形状で、つまり器具外観が四角形状に設けられていることが多い。これは、製造時の製造性や材料取りがよく、安価に製造できる優位性があるためである。
【０００４】
しかしながら、器具外観が四角形状である高天井用の照明器具において、例えば天井に複数の照明器具を並べて設置する場合、複数の照明器具の四角形状の各辺の向きが一致していないと違和感を生じる場合があり、また、壁面の近傍に照明器具を設置する場合、照明器具の四角形状の一辺が壁面に対して平行でなく斜めになっていると、違和感が生じたり、壁面に投影される光や影が斜めに投影される不具合がある。
【０００５】
つまり、照明器具は、設置に方向性があり、方向性を考慮して設置しなければならない。
【先行技術文献】
【特許文献】
【０００６】
【特許文献１】特開２０１３−２０１０８０号公報
【発明の概要】
【発明が解決しようとする課題】
【０００７】
本発明が解決しようとする課題は、器具本体の器具外観が四角形状であっても、設置の際の方向性を無くし、設置性を向上させることができる照明器具を提供することである。
【課題を解決するための手段】
【０００８】
実施形態の照明器具は、発光モジュール、器具本体、電源部、アームおよびカバー体を備える。発光モジュールは、基板、および基板に実装された発光素子を有する。器具本体は、平面視の形状が四角形状であり、下面に発光モジュールを配設する放熱器、および放熱器を支持する本体シャーシを有する。電源部は、本体シャーシ上に配設される。アームは、本体シャーシを支持する。カバー体は、発光モジュールに対向する円形の開口部が設けられた前面カバー部、および器具本体の周囲を覆う円筒状の周面カバー部を有する。発光モジュールは、基板に実装される前記発光素子以外の電気部品を有する。基板は、前面カバー部の開口部に対向する中央領域、および前面カバー部で覆われる周辺領域を有する。基板の中央領域に発光素子が実装され、基板の周辺領域に電気部品が実装されている。
【発明の効果】
【０００９】
本発明によれば、器具本体の器具外観が四角形状であっても、設置の際の方向性を無くし、設置性を向上させることが期待できる。
【図面の簡単な説明】
【００１０】
【図１】第１の実施形態を示す照明器具の下側から見る分解斜視図である。
【図２】同上照明器具の下側から見る斜視図である。
【図３】同上照明器具の上側から見る斜視図である。
【図４】同上照明器具の断面図である。
【図５】同上照明器具の平面図である。
【図６】第２の実施形態を示す照明器具の発光モジュールの正面図である。
【図７】第３の実施形態を示す照明器具の斜視図である。
【発明を実施するための形態】
【００１１】
以下、第１の実施形態を、図１ないし図５を参照して説明する。
【００１２】
照明器具10は、例えば、施設などの天井が高い空間の照明に用いられる高天井用照明器具である。
【００１３】
照明器具10は、発光モジュール11、この発光モジュール11を配設する器具本体12、この器具本体12上に配設される電源部13、器具本体12を支持するアーム14、および器具本体12の下面および周面を覆うカバー体15を備えている。器具本体12は、発光モジュール11を配設する放熱器16、およびこの放熱器16を支持する本体シャーシ17を備えている。
【００１４】
そして、発光モジュール11は、基板20、およびこの基板20の一面に実装された複数の発光素子21を備えている（なお、図には発光素子21の一部を図示し、他は図示を省略している。）。基板20は、例えば円形に形成されており、一面に発光素子21を実装するパターンが設けられている。基板20は、基板20の他面が放熱器16の下面に絶縁性を有する放熱シート22を介して密着するように、複数のねじ23によって放熱器16の下面に取り付けられている。発光素子21は、例えば表面実装形のＬＥＤが用いられ、基板20の一面のパターン上に所定の配列で実装されている。なお、発光素子21は、ＬＥＤに限らず、有機ＥＬなどの他の発光素子を用いてもよい。また、基板20の中央には配線孔24が形成されている。
【００１５】
また、器具本体12は、平面視（底面視）の形状が四角形状であって、器具外観が四角形状に形成されている。すなわち、器具本体12の放熱器16および本体シャーシ17は、それぞれ平面視（底面視）の形状が四角形状であって、それぞれ外観が四角形状に形成されている。本実施形態では、平面視（底面視）の形状が長方形状であって、器具本体12の長手方向F1の寸法W1が短手方向F2の寸法W2よりも長く、器具外観が直方体形状に形成されている。すなわち、器具本体12の放熱器16および本体シャーシ17は、それぞれ平面視（底面視）の形状が長方形状であって、それぞれ長手方向F1の寸法W1が短手方向F2の寸法W2よりも長く、それぞれ外観が直方体形状に形成されている。
【００１６】
そして、器具本体12の放熱器16は、長方形状でかつ平板状の光源取付部26、およびこの光源取付部26の上面から突出する複数の放熱フィン27を備えている。放熱器16は、例えばアルミニウムなどの金属材料によって形成されている。光源取付部26と各放熱フィン27とは別体とし、光源取付部26の上面に複数設けられたスリットに各放熱フィン27を差し込んで固定してもよく、あるいは、光源取付部26および放熱フィン27を例えば押出成形によって一体に形成してもよい。
【００１７】
放熱フィン27は、長方形状の光源取付部26の短辺方向F2に沿った所定のフィン並設方向ｆに沿って互いに平行に並んで設けられている。光源取付部26の中央部付近で互いに隣り合う放熱フィン27の間の間隔S1は、その光源取付部26の中央部付近を中心とした両側の端部付近で互いに隣り合う放熱フィン27間の間隔S2よりも広く形成されている。すなわち、光源取付部26の中央部付近で互いに隣り合う放熱フィン27の間には、光源取付部26の端部付近で互いに隣り合う放熱フィン27間の間隔S2よりも広い間隔S1の拡大間隙部28が設けられている。
【００１８】
拡大間隙部28の位置に対応して、光源取付部26には光源取付部26の下面側と上面側の拡大間隙部28とを連通する配線孔29が設けられている。配線孔29を通じて発光モジュール11と電源部13とを電気的に接続する配線である給電ケーブル30が挿通される。
【００１９】
拡大間隙部28の位置に対応して、光源取付部26の上面から突出フィン31が突設されている。突出フィン31は、例えば、光源取付部26とは別体で、光源取付部26の上面に固定されている。突出フィン31の固定は、ねじによる固定でも、放熱フィン27と同様に、光源取付部26の上面に設けられたスリットに突出フィン31を差し込んで固定してもよい。なお、突出フィン31は、光源取付部26および放熱フィン27とともに例えば押出成形によって一体に形成してもよい。
【００２０】
突出フィン31は、放熱フィン27と平行に配設され、放熱器16の長手方向F1に対応した幅が放熱フィン27と同じ幅で、放熱フィン27よりも上方に大きく突出されている。放熱フィン27よりも上方に突出する突出フィン31の上端側には、給電ケーブル30を保持するための配線保持部32が設けられている。配線保持部32は例えば孔であり、その孔に通した締結具で給電ケーブル30を保持する。
【００２１】
また、器具本体12の本体シャーシ17は、放熱器16の上方に空間35をあけて対向するように配設される電源取付部36、およびこの電源取付部36の両側から下方へ折曲されて放熱器16に連結される一対の支持部37を有している。本体シャーシ17は、例えば金属板によって一体に形成されている。
【００２２】
電源取付部36は、放熱器16の光源取付部26と略同形状の長方形状に形成されている。電源取付部36の周辺部には下方へ向けて折曲された縁部38が形成されている。本体シャーシ17の短手方向F2（放熱器16のフィン並設方向ｆ）に対応した方向の電源取付部36の両側縁中央には、切欠部39が形成されている。切欠部39は、電源取付部36の側縁と平行状で、縁部38から電源取付部36の側縁よりも電源取付部36の中心側に入り込んだ位置まで切り欠かれている。
【００２３】
支持部37は、電源取付部36の短手方向F2（放熱器16のフィン並設方向ｆ）の両側から下方に向けて折曲され、内側に通気開口40が形成された枠状に形成されている。支持部37の通気開口40は電源取付部36の切欠部39に連通されている。支持部37の下端側が放熱器16の短手方向F2（放熱器16のフィン並設方向ｆ）の両側にねじ止めによって連結固定されている。
【００２４】
また、電源部13は、本体シャーシ17の電源取付部36の上側に取り付けられている。電源部13は、電源取付部36の上側に取り付けられる電源ボックス43、およびこの電源ボックス43内に収容される電源回路44を備えている。電源部13（電源ボックス43）は、平面視（底面視）の形状が器具本体12の形状に合わせて長方形状であって、外観が器具本体12の器具外観に合わせて直方体形状に形成されている。
【００２５】
電源ボックス43は、上面および周面が閉塞されるとともに下面が開口された四角形箱状に形成されている。電源ボックス43は、例えば金属板によって形成されている。さらに、電源ボックス43は、この電源ボックス43の上側に設けられる端子台ボックス45を備えている。この端子台ボックス45内に交流電源入力用および調光信号入力用の端子台（図示せず）がそれぞれ配設されている。
【００２６】
電源回路44は、電源基板46、およびこの電源基板46に実装された電子部品（図示せず）を備えている。電源部13は、２枚の電源基板46を備えており、これら電源基板46が電源ボックス43内で器具本体12の短手方向F2（放熱器16のフィン並設方向ｆ）に対応した方向の両側位置にそれぞれ配設されている。さらに、これら電源基板46は、主とする基板面46aを器具本体12の短手方向F2（放熱器16のフィン並設方向ｆ）に対応した方向の電源ボックス43の側面にそれぞれ平行状に対向する縦向きとし、かつその電源ボックス43の側面の近傍にそれぞれ配設されている。
【００２７】
そして、電源部13（電源回路44）は、交流電源を入力し、この交流電源を所定の直流電源に変換して発光モジュール11の発光素子21に供給し、発光素子21を点灯させる。さらに、電源部13（電源回路44）は、調光信号を入力し、この調光信号に応じて発光素子21を調光制御する。
【００２８】
また、アーム14は、電源部13の上方に所定の空間48をあけて対向するように配設される設置部49、およびこの設置部49の両端から下方へ折曲された一対の側部50を備えている。一対の側部50は、器具本体12の本体シャーシ17の短手方向F2（放熱器16のフィン並設方向ｆ）の両側に連結されている。アーム14は、例えば金属板によって一体に形成されている。
【００２９】
各側部50の先端は、連結金具51を介して本体シャーシ17に連結されている。連結金具51は、本体シャーシ17の電源取付部36の下面に例えばねじ止めによって固定される固定部52、およびこの固定部52から上方へ折曲された連結部53を備えている。連結部53の幅は電源取付部36の切欠部39の幅よりも小さく、その連結部53が切欠部39に嵌合されている。固定部52の幅は電源取付部36の切欠部39の幅よりも広く、その固定部52の幅方向両側が電源取付部36の縁部38に引っ掛かるように構成されている。連結部53の外面側は、電源取付部36の切欠部39の領域内に位置しており、すなわち、電源取付部36の側縁よりも電源取付部36の中心側に入り込んだ位置に配設されている。
【００３０】
連結金具51の連結部53の外面側にアーム14の側部50が配置され、連結部53と側部50とが連結具54によって回動可能に連結されている。側部50には連結具54を中心とした円弧状の角度調整溝55が形成され、この角度調整溝55には連結部53と側部50とを締め付けて保持する締付具56が挿通されている。そして、天井などに設置されるアーム14に対して、照明器具10の光照射方向が例えば直下方向などの所定の方向となるように角度調整可能に構成されている。
【００３１】
なお、アーム14が器具本体12に連結された状態において、電源ボックス43内の電源基板46は、その基板面46aがアーム14の側部50に平行状でかつアーム14の側部50の近傍に配設されている。
【００３２】
また、カバー体15は、器具本体12の前面側を覆う前面カバー部59、および器具本体12の周囲を覆う円筒状の周面カバー部60を備えている。
【００３３】
前面カバー部59は、中央に円形の開口部61が形成された環状に形成されている。開口部61は、発光モジュール11の発光素子21が実装された基板20の領域に対向されている。前面カバー部59には、中央の開口部61から周辺部に亘って下方へ向けて拡開傾斜する反射面62が形成されている。前面カバー部59の周辺部には、周面カバー部60に複数のねじ63で取り付けられる取付部64が形成されている。前面カバー部59は、発光モジュール11からの光を反射面62によって所定の光照射方向に反射させる反射板の機能を有している。
【００３４】
周面カバー部60は、上下方向に開口する円筒状に形成され、下部側には前面カバー部59をねじ63で固定するための下側取付縁（図示せず）が設けられ、上部側には器具本体12に例えばねじ止めによって取り付けられる上側取付縁65が設けられている。
【００３５】
周面カバー部60の内面と器具本体12の周囲の側面との間には通気路66が形成されている。この通気路66の下側には下側通気口67が連通され、上側には上側通気口68が連通されている。
【００３６】
下側通気口67は、前面カバー部59に設けられた複数の通気孔69によって構成されている。複数の通気孔69は、前面カバー部59（反射面62）の周方向に沿ってそれぞれスリット状に設けられている。下側通気口67は、放熱器16の下側に対向されていることが好ましい。なお、下側通気口67は、前面カバー部59（反射面62）の周方向に沿ってそれぞれスリット状に設けられた複数の通気孔69に限らず、例えば、開口部61の内径を大きくして後述する透光カバー70との間に設けてもよい。
【００３７】
上側通気口68は、周面カバー部60の上端側（上側取付縁65）と器具本体12の側面との間の開口によって構成されている。そして、下側通気口67の開口面積（総開口面積）と上側通気口68の開口面積（総開口面積）とは、下側通気口67の開口面積が上側通気口68の開口面積よりも小さい関係にある。
【００３８】
さらに、長方形状の器具本体12の周囲を円筒形状の周面カバー部60で覆っているため、器具本体12の長手方向F1における器具本体12と周面カバー部60との間の通気路66の開口面積よりも、器具本体12の短手方向F2における器具本体12と周面カバー部60との間の通気路66の開口面積が広い関係を有する。
【００３９】
また、前面カバー部59の開口部61には、発光モジュール11を覆う透光カバー70が配設されている。透光カバー70は、円板状の下面部71、この下面部71の周辺から立ち上がる周面部72、およびこの周面部72の上端から外径方向に突出されたフランジ部73を備えている。フランジ部73が発光モジュール11の基板20に当接されるとともに複数のねじによって放熱器16に締め付け固定されている。照明器具10の組立状態における透光カバー70の下面はカバー体15の下面と同じ位置とされている。そして、透光カバー70は、光透過性の良いクリアカバーでもよいし、光を拡散する拡散カバーでもよい。透光カバー70によって発光モジュール11の発光素子21が実装された一面側を閉塞し、虫や埃などが侵入するのを防止する。
【００４０】
そして、このように構成された照明器具10は、アーム14の設置部49を天井などに取り付けて設置する。天井が傾斜しているような場合には、アーム14も傾斜するが、このアーム14に対して器具本体12の角度を調整することにより、照明器具10からの光照射方向を例えば直下方向に設定することができる。
【００４１】
電源部13によって交流電源を所定の直流電源に変換して発光モジュール11の発光素子21に供給することにより、発光モジュール11の発光素子21が点灯する。
【００４２】
点灯する発光素子21からの光は、透光カバー70を透過して照明空間に照射される。透光カバー70を透過した光の一部は反射面62で反射して照明空間に照射される。
【００４３】
また、点灯時に発光素子21が発生する熱は、主として、基板20から放熱器16に伝わり、放熱器16の複数の放熱フィン27から空気中に放熱される。
【００４４】
放熱器16の温度が上昇すると、放熱器16の周囲に自然対流が発生する。この自然対流によって、照明器具10の周囲の相対的に低い温度の空気が下側通気口67からカバー体15の内側の通気路66に流入し、その流入した空気が放熱器16からの放熱で温められ、暖められた空気が上側通気口68からカバー体15の上方に排気される。
【００４５】
このとき、仮に、下側通気口67の開口面積と上側通気口68の開口面積とが同じ場合、あるいは上側通気口68の開口面積が下側通気口67の開口面積がよりも小さい場合、カバー体15の内側で熱がこもりやすく、放熱効果が低くなりやすい。それに対して、本実施形態では、下側通気口67の開口面積が上側通気口68の開口面積よりも小さい関係にあるため、下側通気口67から通気路66に流入する空気の流速が速くなり、流速の速い空気が放熱器16に作用し、放熱器16による放熱効果が高まる。これは、上側通気口68から流入する空気の容積と上側通気口68から排出される空気の容積とが同じであるため、下側通気口67の開口面積が上側通気口68の開口面積よりも小さければ、下側通気口67から通気路66に流入する空気の流速が速くなることによる。
【００４６】
さらに、長方形状の器具本体12の周囲を円筒形状の周面カバー部60で覆っているため、器具本体12の長手方向F1における器具本体12と周面カバー部60との間の通気路66の開口面積よりも、器具本体12の短手方向F2における器具本体12と周面カバー部60との間の通気路66の開口面積が大きい関係にある。
【００４７】
そのため、器具本体12の長手方向F1における器具本体12と周面カバー部60との間の通気路66では、開口面積が小さいため、この通気路66を流れる空気の流速が比較的速く、放熱器16が効果的に冷却され、しかも、器具本体12の長手方向F1に沿って複数の放熱フィン27が設けられていることにより、この通気路66を流れる比較的流速の速い空気が放熱フィン27間に流れ、放熱効果がより向上する。
【００４８】
器具本体12の短手方向F2における器具本体12と周面カバー部60との間の通気路66では、開口面積が大きいため、この通気路66を流れる空気の両側は比較的遅いが、空気の容量が多く、アーム14の側部50が確実に冷却される。このアーム14の側部50の内側には電源部13が配設され、動作時には電源部13も発熱するため、この電源部13からの熱がアーム14の側部50に伝わりやすい。したがって、アーム14の側部50が確実に冷却されることにより、電源部13の熱がアーム14の側部50に伝わりやすくなり、電源部13の熱が効率よく放熱される。
【００４９】
また、放熱器16の温度上昇により、器具本体12の下方から上方への向けて自然対流が発生する。この自然対流によって、放熱フィン27に平行な方向（フィン並設方向ｆに対して直交する方向）から放熱器16と本体シャーシ17との間に対流する空気が流入し、この空気が放熱フィン27間を流れて、放熱器16の上方に位置する本体シャーシ17の電源取付部36の下面側に上昇し、放熱フィン27に直交する方向（フィン並設方向ｆ）の本体シャーシ17の通気開口40から上方へ流れやすい。
【００５０】
このとき、放熱器16のフィン並設方向ｆに対応した方向の電源取付部36の両側縁には切欠部39が設けられているため、本体シャーシ17の電源取付部36の下面側に上昇した空気は切欠部39から集中して上方流れやすくなる。この切欠部39の上方には、器具本体12（本体シャーシ17）に連結されるアーム14の側部50が位置しているため、切欠部39から上方へ流れる空気がアーム14の側部50の外側面に沿って流れやすくなる。このアーム14の側部50の内側には電源部13が配設され、動作時には電源部13も発熱するため、この電源部13からの熱がアーム14の側部50に伝わりやすい。したがって、切欠部39からアーム14の側部50の外側面に沿って流れる空気によってアーム14の側部50が冷却されるため、電源部13の熱がアーム14の側部50に伝わりやすくなり、電源部13の熱が効率よく放熱される。
【００５１】
そして、本実施形態の照明器具10によれば、器具本体12の器具外観が四角形状の周囲を円筒状のカバー体15で覆っているため、器具本体12の器具外観が四角形状であっても、設置の際の方向性を無くし、設置性を向上させることができる。
【００５２】
すなわち、天井に複数の照明器具10を並べて設置する場合、円筒状のカバー体15によって器具外観が四角形状の器具本体12の向きが見えないため、器具外観が四角形状の器具本体12の向きがばらばらであっても、複数の照明器具10に違和感を生じることがない。また、壁面の近傍に照明器具10を設置する場合、円筒状のカバー体15によって器具外観が四角形状の器具本体12の向きが見えないため、照明器具10の四角形状の一辺が壁面に対して平行でなく斜めになっていても、違和感が生じることがない。さらに、カバー体15の開口部61が円形であるため、壁面に投影される光や影が斜めに投影されることがなく、違和感を生じることがない。
【００５３】
また、下側通気口67の開口面積が上側通気口68の開口面積よりも小さいため、下側通気口67から通気路66に流入する空気の流速が速くなり、流速の速い空気が放熱器16に作用し、放熱器16による放熱効果を高めることができる。
【００５４】
この場合、下側通気口67が放熱器16の下側に対向されていれば、流速の速い空気が放熱器16に作用しやすくなり、放熱効果をより高めることができる。
【００５５】
また、長方形状の器具本体12の周囲を円筒形状の周面カバー部60で覆っているため、器具本体12の長手方向F1における器具本体12と周面カバー部60との間の通気路66では、開口面積が小さくなり、この通気路66を流れる空気の流速が比較的速く、放熱器16を効果的に冷却することができる。しかも、器具本体12の長手方向F1に沿って複数の放熱フィン27が設けられていることにより、この通気路66を流れる比較的流速の速い空気が放熱フィン27間に流れ、放熱効果をより向上できる。
【００５６】
器具本体12の短手方向F2における器具本体12と周面カバー部60との間の通気路66では、開口面積が大きいなり、この通気路66を流れる空気の容量が多く、アーム14の側部50が確実に冷却でき、このアーム14の側部50を介して電源部13の放熱性を向上できる。
【００５７】
また、カバー体15の前面カバー部59には、中央の開口部61から周辺部に亘って下方へ向けて拡開傾斜する反射面62を設け、反射面62の内側に透光カバー70を配設しているため、すなわち、前面カバー部59を窪ませてそこに透光カバー70を配設しているため、透光カバー70が照明器具10の下面から突出するのを抑制し、照明器具10の外観を向上できる。しかも、傾斜状の反射面62を備えることにより、直下方向の照度を高めることができる。
【００５８】
また、放熱器16の光源取付部26の中央部付近で互いに隣り合う放熱フィン27の間の間隔S1は、その光源取付部26の中央部付近を中心とした両側の端部付近で互いに隣り合う放熱フィン27間の間隔S2よりも広く形成されている。すなわち、光源取付部26の中央部付近で互いに隣り合う放熱フィン27の間には、光源取付部26の端部付近で互いに隣り合う放熱フィン27間の間隔S2よりも広い間隔S1の拡大間隙部28が設けられている。この拡大間隙部28を設けられていることにより、放熱器16上を有効利用することができる。
【００５９】
例えば、拡大間隙部28の位置に対応して、光源取付部26に光源取付部26の下面側と上面側の拡大間隙部28とを連通する配線孔29が設けることにより、発光モジュール11と電源部13とを電気的に接続する給電ケーブル30を容易に挿通できる。
【００６０】
さらに、拡大間隙部28の位置に対応して、光源取付部26の上面から放熱フィン27よりも大きく突出する突出フィン31を設けることにより、この突出フィン31の上端側で給電ケーブル30の中間を保持して給電ケーブル30の電気的接続部に張力が加わるのを防止することができ、しかも、突出フィン31からも放熱することができる。したがって、突出フィン31は、放熱機能とケーブル保持機能とを併せ持ち、構成を簡素化できる。
【００６１】
また、本体シャーシ17には、電源取付部36のフィン並設方向ｆに対応した方向の両側縁に切欠部39を設け、この切欠部39の上側にアーム14の側部50を配設していることにより、本体シャーシ17の電源取付部36の下面側に上昇した空気が切欠部39から集中して上方流れ、切欠部39の上側のアーム14の側部50を冷却できるため、電源部13の熱がアーム14の側部50に伝わり、電源部13の熱を効率よく放熱できる。
【００６２】
さらに、電源部13の電源ボックス43内には、基板面46aがアーム14の側部50に平行状でかつアーム14の側部50の近傍に電源基板46が配設されているため、電源基板46に実装された電源部品が発生する熱がアーム14の側部50に効率よく伝わり、電源部品の温度上昇を抑制できる。
【００６３】
次に、図６に第２の実施形態を示す。なお、第１の実施形態と同じ構成については同じ部号を用い、その構成および作用効果の説明を省略する。
【００６４】
発光モジュール11は、発光素子21の他、電流検出のための抵抗、ノイズ対策のためのコンデンサ、電気接続のためのコネクタなどの電気部品80を有している。
【００６５】
基板20は、例えば四角形状に形成され、前面カバー部59の開口部61に対向する中央領域20a（透光カバー70で覆われる中央領域20a）、および前面カバー部59で覆われる周辺領域20b（透光カバー70で覆われない周辺領域20b）を有している。
【００６６】
基板20の中央領域20aに発光素子21が実装され、基板20の周辺領域20bに電気部品80が実装されている。
【００６７】
この構成により、基板20の中央領域20aを発光素子21が実装領域として有効利用でき、発光素子21の実装可能な数を多くすることができ、光出力の高出力化に対応できる。
【００６８】
次に、図７に第３の実施形態を示す。なお、第１の実施形態と同じ構成については同じ部号を用い、その構成および作用効果の説明を省略する。
【００６９】
カバー体15の周面カバー部60が上方に延長されている。なお、器具本体12とアーム14とが傾斜状態となる場合に、アーム14と干渉しない長さに延長されている。
【００７０】
そして、器具本体12とアーム14とは、カバー体15の周面カバー部60の内側で連結されている。これにより、器具本体12とアーム14との連結部分をカバー体15で隠蔽でき、照明器具10の外観を向上できる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
10    照明器具
11    発光モジュール
12    器具本体
13    電源部
14    アーム
15    カバー体
16    放熱器
17    本体シャーシ
20    基板
20a   中央領域
20b   周辺領域
21    発光素子
59    前面カバー部
60    周面カバー部
61    開口部
80    電気部品
【図１】
0006590154.tif 000002
【図２】
0006590154.tif 000003
【図３】
0006590154.tif 000004
【図４】
0006590154.tif 000005
【図５】
0006590154.tif 000006
【図６】
0006590154.tif 000007
【図７】
0006590154.tif 000008